【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
二値算術符号化された映像ストリームを復号する画像復号化装置であって、
前記映像ストリームを算術復号化する算術復号化手段と、
前記算術復号化手段において算術復号化された二値データを格納する記憶手段と、
前記算術復号化手段において算術復号化された二値データを二値復号化し、前記二値データが前記記憶手段に格納されていた位置と、前記二値データが復号された後の画像位置とを関係付けるアドレスデータを算出するアドレス算出手段と、
前記記憶手段に記憶されている二値データを読出す読出し手段と、
Ｎ（但し、Ｎは２以上の自然数）個の二値復号化部を有し、前記読出し手段によって読み出された二値データを前記アドレスデータに基づいて、前記Ｎ個の二値復号化部のそれぞれが分担して二値復号化処理する二値復号化手段とを有することを特徴とする画像復号化装置。
【請求項２】
前記映像ストリームは、所定画素数から構成されるブロック単位に符号化されており、
前記アドレス算出手段は、前記アドレスデータを所定数のブロック単位に算出することを特徴とする請求項１に記載の画像復号化装置。
【請求項３】
前記所定数のブロック単位は、画像の水平方向の画面幅に相当する単位であることを特徴とする請求項２に記載の画像復号化装置。
【請求項４】
前記所定数のブロック単位は、縦横それぞれ１６画素で構成されるマクロブロックであることを特徴とする請求項２に記載の画像復号化装置。
【請求項５】
前記Ｎ個の二値復号化手段は、二値復号化処理を並列に行うことを特徴とする請求項１に記載の画像復号化装置。
【請求項６】
二値算術符号化された映像ストリームを復号する画像復号化方法であって、
前記映像ストリームを算術復号化する算術復号化工程と、
前記算術復号化工程において算術復号化された二値データを記憶手段に格納する格納工程と、
前記算術復号化工程において算術復号化された二値データを二値復号化し、前記二値データが前記記憶手段に格納されていた位置と、前記二値データが復号された後の画像位置とを関係付けるアドレスデータを算出するアドレス算出工程と、
前記記憶手段に記憶されている二値データを読出す読出し工程と、
Ｎ（但し、Ｎは２以上の自然数）個の二値復号化部を用い、前記読出し工程において読み出された二値データを前記アドレスデータに基づいて、前記Ｎ個の二値復号化部のそれぞれが分担して二値復号化処理する二値復号化工程とを有することを特徴とする画像復号化方法。
【請求項７】
二値算術符号化された映像ストリームを復号する工程をコンピュータに実行させるプログラムであって、
前記映像ストリームを算術復号化する算術復号化工程と、
前記算術復号化工程において算術復号化された二値データを記憶手段に格納する格納工程と、
前記算術復号化工程において算術復号化された二値データを二値復号化し、前記二値データが前記記憶手段に格納されていた位置と、前記二値データが復号された後の画像位置とを関係付けるアドレスデータを算出するアドレス算出工程と、
前記記憶手段に記憶されている二値データを読出す読出し工程と、
Ｎ（但し、Ｎは２以上の自然数）個の二値復号化部を用い、前記読出し工程において読み出された二値データを前記アドレスデータに基づいて、前記Ｎ個の二値復号化部のそれぞれが分担して二値復号化処理する二値復号化工程とをコンピュータに実行させることを特徴とするプログラム。
【請求項８】
請求項７に記載のプログラムを記憶したことを特徴とするコンピュータ読み取り可能な記憶媒体。
【手続補正２】
【補正対象書類名】明細書
【補正対象項目名】００１６
【補正方法】変更
【補正の内容】
【００１６】
本発明の画像復号化装置は、二値算術符号化された映像ストリームを復号する画像復号化装置であって、前記映像ストリームを算術復号化する算術復号化手段と、前記算術復号化手段において算術復号化された二値データを格納する記憶手段と、前記算術復号化手段において算術復号化された二値データを二値復号化し、前記二値データが前記記憶手段に格納されていた位置と、前記二値データが復号された後の画像位置とを関係付けるアドレスデータを算出するアドレス算出手段と、前記記憶手段に記憶されている二値データを読出す読出し手段と、Ｎ（但し、Ｎは２以上の自然数）個の二値復号化部を有し、前記読出し手段によって読み出された二値データを前記アドレスデータに基づいて、前記Ｎ個の二値復号化部のそれぞれが分担して二値復号化処理する二値復号化手段とを有することを特徴とする。
【手続補正３】
【補正対象書類名】明細書
【補正対象項目名】００１７
【補正方法】変更
【補正の内容】
【００１７】
本発明の画像復号化方法は、二値算術符号化された映像ストリームを復号する画像復号化方法であって、前記映像ストリームを算術復号化する算術復号化工程と、前記算術復号化工程において算術復号化された二値データを記憶手段に格納する格納工程と、前記算術復号化工程において算術復号化された二値データを二値復号化し、前記二値データが前記記憶手段に格納されていた位置と、前記二値データが復号された後の画像位置とを関係付けるアドレスデータを算出するアドレス算出工程と、前記記憶手段に記憶されている二値データを読出す読出し工程と、Ｎ（但し、Ｎは２以上の自然数）個の二値復号化部を用い、前記読出し工程において読み出された二値データを前記アドレスデータに基づいて、前記Ｎ個の二値復号化部のそれぞれが分担して二値復号化処理する二値復号化工程とを有することを特徴とする。
【手続補正４】
【補正対象書類名】明細書
【補正対象項目名】００１８
【補正方法】変更
【補正の内容】
【００１８】
本発明のプログラムは、二値算術符号化された映像ストリームを復号する工程をコンピュータに実行させるプログラムであって、前記映像ストリームを算術復号化する算術復号化工程と、前記算術復号化工程において算術復号化された二値データを記憶手段に格納する格納工程と、前記算術復号化工程において算術復号化された二値データを二値復号化し、前記二値データが前記記憶手段に格納されていた位置と、前記二値データが復号された後の画像位置とを関係付けるアドレスデータを算出するアドレス算出工程と、前記記憶手段に記憶されている二値データを読出す読出し工程と、Ｎ（但し、Ｎは２以上の自然数）個の二値復号化部を用い、前記読出し工程において読み出された二値データを前記アドレスデータに基づいて、前記Ｎ個の二値復号化部のそれぞれが分担して二値復号化処理する二値復号化工程とをコンピュータに実行させることを特徴とする。
【手続補正５】
【補正対象書類名】明細書
【補正対象項目名】００４４
【補正方法】変更
【補正の内容】
【００４４】
本実施形態の画像復号化装置１００は、前述したように、算術復号化部１０１で復号された二値データＤ１１のアドレスをアドレス算出部１０２において検出するようにした。そして、検出したアドレスを用いて、記憶部１０３から読み出した二値データを複数の二値復号化部１０４，１０５に分配するようにした。これにより、動きベクトル情報、変換係数値、参照ピクチャインデックス、予測モード情報などの情報を格納することなく、二値算術符号化された映像ストリームを復号することを可能にした。
【手続補正６】
【補正対象書類名】明細書
【補正対象項目名】００４５
【補正方法】変更
【補正の内容】
【００４５】
これにより、一時記憶用メモリーの容量を大幅に増加させることなく、算術復号化部１０１から出力される二値データＤ１１を、第１及び第２の二値復号化部１０４，１０５を並列動作させて復号処理することができる。したがって、二値算術符号化された映像ストリームを復号することが可能な画像復号化装置を、小さな回路規模で構成することができる。